(57)【要約】【課題】複数の補給形態に対応して尿素タンクに尿素を補給可能な尿素補給部構造を得る。【解決手段】インレットパイプ本体３４に形成された下側雌ネジ部４２に、コネクタ部材４４に形成された下側雄ネジ部４６が螺合され、コネクタ部材４４がインレットパイプ本体３４に取り付けられる。コネクタ部材４４に形成された側雄ネジ部５２に、専用ボトルの被接続部に形成された雌ネジが螺合される。被接続部がコネクタ部材４４の上端部分に接続されると、専用ボトルから尿素タンク１４へ尿素の補給が可能となる。コネクタ部材４４をインレットパイプ本体３４から取り外すと、インレットパイプ本体３４内に尿素補給用のノズル等を挿入して尿素の補給が可能となる。【選択図】図１
2010127201.tif 000002
【特許請求の範囲】
【請求項１】
下端が尿素タンクに接続され上端の開口部分に尿素補給用の管部材を挿入して尿素を補給可能とされたインレットパイプ本体と、
前記インレットパイプ本体の上端側に取り外し可能に取り付けられ、前記管部材とは異なる尿素補給用の被接続部材を開口部分に接続して尿素を補給可能とされた接続部材と、
を有する尿素補給部構造。
【請求項２】
前記インレットパイプ本体又は前記接続部材の開口部分を閉塞する蓋部材と、
前記蓋部材に設けられ、前記尿素タンクから排出されるアンモニアガスを吸着して分解するフィルタ部材と、
前記フィルタ部材よりも前記アンモニアガスの排出方向下流側で前記蓋部材に設けられ、設けられアンモニアガスのｐｈを検知する検知部材と、
を有する請求項１に記載の尿素補給部構造。
【請求項３】
前記フィルタ部材よりも前記アンモニアガスの排出方向上流側で前記蓋部材に設けられ、前記尿素タンクの内部と外部との圧力差に応じて開弁して尿素タンクの内圧を調整する内圧調整弁、
を有する請求項２に記載の尿素補給部構造。
【発明の詳細な説明】
【技術分野】
【０００１】
本発明は、尿素タンクに尿素を補給するための尿素補給部構造に関する。
【背景技術】
【０００２】
尿素タンクに尿素を補給するための尿素補給部構造として、特許文献１には、円筒パイプ入口にアダプタが嵌め込まれ、アダプタの補給注入器の結合部及びタンク入口アダプタの結合部を接続するようにした構造が記載されている。
【０００３】
ところで、実際の尿素タンクへの尿素補給は、補給用のノズル（いわゆる補給ガン）や補給缶のホース等から行う場合の他に、専用ボトルから行う場合など、各種の補給形態がある。したがって、これら複数の補給形態に対応して尿素を補給可能とすることが望まれる。
【特許文献１】特表２００７−５１８６３６号
【発明の開示】
【発明が解決しようとする課題】
【０００４】
本発明は上記事実を考慮し、複数の補給形態に対応して尿素タンクに尿素を補給可能な尿素補給部構造を得ることを課題とする。
【課題を解決するための手段】
【０００５】
請求項１に記載の発明では、下端が尿素タンクに接続され上端の開口部分に尿素補給用の管部材を挿入して尿素を補給可能とされたインレットパイプ本体と、前記インレットパイプ本体の上端側に取り外し可能に取り付けられ、前記管部材とは異なる尿素補給用の被接続部材を開口部分に接続して尿素を補給可能とされた接続部材と、を有する。
【０００６】
この尿素補給部構造では、インレットパイプ本体の上端側には、接続部材が取り外し可能に取り付けられる。接続部材を取り外した状態で、インレットパイプ本体の上端の開口部分に尿素補給用の管部材を挿入して尿素を尿素タンクに補給することができる。
【０００７】
接続部材をインレットパイプ本体に取り付けた状態では、管部材とは異なる尿素補給用の被接続部材を接続部材の開口部分に接続し、尿素を補給することができる。すなわち、接続部材をインレットパイプ本体に接続していない状態と接続した状態とで、異なる補給用の部材からの尿素の補給が可能となる。
【０００８】
請求項２に記載の発明では、請求項１に記載の発明において、前記インレットパイプ本体又は前記接続部材の開口部分を閉塞する蓋部材と、前記蓋部材に設けられ、前記尿素タンクから排出されるアンモニアガスを吸着して分解するフィルタ部材と、前記フィルタ部材よりも前記アンモニアガスの排出方向下流側で前記蓋部材に設けられ、設けられアンモニアガスのｐｈを検知する検知部材と、を有する。
【０００９】
この蓋部材によってインレットパイプ本体又は接続部材の開口部分を閉塞し、不用意な尿素の漏れや尿素タンク中の気体の拡散を抑制することが可能になる。
【００１０】
また、尿素タンク内ではアンモニアガスが発生することがあるが、このアンモニアガスはインレットパイプ本体を通じて外部に排出される前に、フィルタ部材により吸着され分解される。これにより、アンモニアガスの外部への排出が抑制される。
【００１１】
フィルタ部材よりもアンモニアガスの排出方向下流側には、アンモニアガスのｐｈを検知する検知部材が蓋部材に設けられている。したがって、フィルタ部材がアンモニアガスを吸着・分解できなくなった場合や、その能力が低下した場合には、検知部材のｐｈの変化によってそのことを認知できるようになる。
【００１２】
請求項３に記載の発明では、請求項２に記載の発明において、前記フィルタ部材よりも前記アンモニアガスの排出方向上流側で前記蓋部材に設けられ、前記尿素タンクの内部と外部との圧力差に応じて開弁して尿素タンクの内圧を調整する内圧調整弁、を有する。
【００１３】
内圧調整弁は、尿素タンクの内部と外部との圧力差が所定範囲内であるときは閉弁され、アンモニアガスの排出を抑制する。内圧調整弁が開弁したときには、尿素タンクの内圧を調整することができる。内圧調整弁は、フィルタ部材よりもアンモニアガスの排出方向上流側に設けられているので、開弁時に内圧調整弁を通過したアンモニアガスをフィルタ部材で吸着・分解できる。
【発明の効果】
【００１４】
本発明は上記構成としたので、複数の補給形態に対応して尿素タンクに尿素を補給可能となる。
【発明を実施するための最良の形態】
【００１５】
図１には、本発明の一実施形態の尿素補給部構造３２が示されている。また、図２には、この尿素補給部構造３２が適用された尿素タンクシステム１２の全体構成が概略的に示されている。
【００１６】
この尿素タンクシステム１２は、尿素を収容可能な尿素タンク１４を有している。本実施形態の尿素補給部構造３２は、尿素タンク１４に対し、尿素補給用のノズル１６（図５参照）、補給缶の蛇腹ホース１８（図６参照、これらのノズル１６や蛇腹ホース１８が、本発明に係る「尿素補給用の管部材」の一例に該当する）に加えて、専用ボトルの被接続部２０（図９参照、この被接続部２０が、本発明に係る「尿素補給用の被接続部材」の一例に該当する）から尿素を補給可能とするものである。なお、尿素補給用のノズル１６や補給缶の蛇腹ホース１８は、その径が規格化されている。また、専用ボトルの被接続部２０も、その外径、内径及び後述する雌ネジ５４の形状が規格化されている。尿素タンク１４内に収容された尿素は、尿素移送ポンプ２２によって尿素供給管２４内を汲み上げられ、さらに、尿素噴射弁２５により排気管３０内に噴射されて、ＳＣＲ触媒２６に送られる。ＳＣＲ触媒２６では、エンジン２８から排気管３０を通じて送られた排気ガス中の窒素酸化物を浄化する。
【００１７】
尿素タンク１４には、略円筒状のインレットパイプ本体３４の下端側が接続されている。インレットパイプ本体３４の上端側は、図１に示すようにその径を下端部側よりも大きくした拡径部３６が構成されている。拡径部３６の内径は、図５に示すように、尿素補給用のノズル１６を上端の挿入孔３８（開口部分）から挿入することが可能な内径とされ、さらに、図６に示すように、尿素補給缶の蛇腹ホース１８を挿入することも可能な内径とされている。このとき、インレットパイプ本体３４の拡径部３６の内周面と、ノズル１６あるいは蛇腹ホース１８との外周面との間には隙間が生じるため、尿素補給時に尿素タンク１４内の気体を外部に逃がすことが可能となる。
【００１８】
インレットパイプ本体３４の挿入孔３８には上端に向かって内径を漸増させた漸増部４０が形成されており、ノズル１６や蛇腹ホース１８の挿入時にこれらの挿入を容易にしている。また、拡径部３６には、挿入孔３８から所定距離だけ下端側の位置に、このインレットパイプ本体３４の筒形状を局所的に縮径した下側雌ネジ部４２が形成されている。
【００１９】
インレットパイプ本体３４の挿入孔３８には、コネクタ部材４４が部分的に挿入されて取り外し可能に取り付けられるようになっている。コネクタ部材４４は略筒状に形成されて上端及び下端が開口されており、その下端部分には、下側雌ネジ部４２に螺合される下側雄ネジ部４６が形成されている。
【００２０】
コネクタ部材４４の長手方向略中間部からは、径方向外側に向けて環状のフランジ４８が形成され、フランジ４８の下面側にはＯリング５０が取り付けられている。コネクタ部材４４がインレットパイプ本体３４の挿入孔３８に挿入されてねじ込まれたとき、Ｏリング５０が漸増部４０に密着して、コネクタ部材４４の挿入範囲を一定に制限すると共に、コネクタ部材４４とインレットパイプ本体３４との隙間を閉塞している。
【００２１】
コネクタ部材４４の上端部分には、上側雄ネジ部５２が形成されている。この上側雄ネジ部５２は、図９に示すように、専用ボトルの被接続部２０に形成された雌ネジ５４が螺合されるようになっている。そして、このように専用ボトルの被接続部２０がコネクタ部材４４の上端部分（開口部分）に接続されると、専用ボトルからコネクタ部材４４及びインレットパイプ本体３４を通じて尿素タンク１４へ尿素の補給が可能となる。
【００２２】
図１に示すように、尿素タンク１４への尿素の非補給時には、コネクタ部材４４にハンドル部材５６が被せられている。ハンドル部材５６は、コネクタ部材４４の上端を覆う円板部５８と、この円板部５８の周囲から下方に延出された円筒部６０、及び円板部５８の上端の凸部５６Ｔを有しており、円板部５８と凸部５６Ｔとで、コネクタ部材４４の上端の開口部分を閉塞している。
【００２３】
円板部５８の内周面には、コネクタ部材４４の上側雄ネジ部５２に螺合される雌ネジ６２が形成されている。この雌ネジ６２を上側雄ネジ部５２に螺合させてハンドル部材５６をコネクタ部材４４にねじ込むと、円板部５８がコネクタ部材４４の上端に位置するようになっている。このとき、円筒部６０が不用意にコネクタ部材４４のフランジ４８に接触しないように、円筒部６０の長さが決められている。また、雌ネジ６２を上側雄ネジ部５２から緩めるときの緩みトルクは、下側雄ネジ部４６を下側雌ネジ部４２から緩めるときの緩みトルクよりも小さく設定されている。
【００２４】
ハンドル部材５６の円板部５８の中央は円形に開口されており、この開口された内側に、フィルタ部材６４が取り付けられている。さらに、フィルタ部材６４の下方には、内圧調整バルブ体６６が設けられており、フィルタ部材６４と一体化されている。内圧調整バルブ体６６は、尿素タンク１４の内部と外部とを気体が流れる方向で見て並列に、正圧弁６８と負圧弁７０とが配置された、いわゆる２ウェイの弁体とされている。尿素タンク１４の内部が外部に対し相対的に所定値以上の高圧（正圧）になった場合には、正圧弁６８が開弁され、逆に、尿素タンク１４の内部が外部に対し相対的に所定値以上の低圧（負圧）になった場合には、負圧弁７０が開弁される。これらの正圧弁６８又は負圧弁７０の開弁により、尿素タンク１４の内圧を所定範囲に維持しつつ、アンモニアガスの排出を抑制できるようになっている。なお、正圧弁６８及び負圧弁７０の開弁圧は特に制限されないが、たとえば、３〜５ｋＰａ程度とされる。
【００２５】
フィルタ部材６４の内部には、光触媒フィルタ７２が収容されている。光触媒フィルタ７２は、たとえば正圧弁６８の開弁時に、光触媒フィルタ７２の内部を通過するアンモニアガスを吸着し分解することで、アンモニアガスの外部への排出を抑制している。フィルタ部材６４の上板７４及びハンドル部材５６の上端の凸部５６Ｔは、本実施形態では透明部材で構成されており、外部の光を透過させて光触媒フィルタ７２に達する構成とされている。
【００２６】
ハンドル部材５６の上板７４（透明部分）の上面には、ｐｈ試験紙７６が貼着されており、アンモニアガスによるｐｈ変化を、所定の呈色反応によって視認できるようになっている。すなわち、光触媒フィルタ７２の吸着・分解能力の低下等によってアンモニアガスがフィルタ部材６４を通過してしまうと、ｐｈ試験紙７６の色が変化する。これにより、アンモニアガスがフィルタ部材６４を通過したこと、換言すれば、光触媒フィルタ７２の分解能力が低下したことを、視覚的に知ることができるようになる。なお、ｐｈ試験紙７６としては、リトマス試験紙を用いることができる。また、紙製のものに限定されず、ｐｈ試験液を塗布しておく構成でもよい。ｐｈ試験液としては、フェノールフタレイン溶液を用いることができる。さらに、光触媒としては、消臭等の用途で一般に用いられている酸化チタンが好適であるが、これに限定されない。
【００２７】
本実施形態では、図１０に示すように、フィルタ部材６４の上板７４には、径方向外側に向かって部分的に突出する嵌合爪７８が形成されており、ハンドル部材５６の円板部５８の開口部分には、嵌合爪７８が嵌合可能な被嵌合凹部８０が形成されている。嵌合爪７８をわずかに撓ませつつ被嵌合凹部８０に嵌合させることで、いわゆるスナップフィットによって容易に、フィルタ部材６４をハンドル部材５６に対し着脱できるようになっている。なお、このようなスナップフィットに代えて、ネジ締結によりフィルタ部材６４をハンドル部材５６に対し着脱可能に取り付ける構造としてもよい。
【００２８】
フィルタ部材６４の外周にはＯリング８２が装着されている。Ｏリング８２は、ハンドル部材５６が装着されたときコネクタ部材４４に密着して、ハンドル部材５６とコネクタ部材４４との隙間を閉塞している。
【００２９】
ハンドル部材５６の外側には、ロック部材８４が装着されている。ロック部材８４は、ハンドル部材５６の円筒部６０を取り囲む環状のリング部８６と、このリング部８６から下方に延出された複数本（本実施形態では周方向に均等に４本）の係合脚８８と、を有している。そして、ロック部材８４は、ハンドル部材５６の周方向にはハンドル部材５６と相対回転せず、ハンドル部材５６の長手方向にはハンドル部材５６に対しスライドするようになっている。
【００３０】
コネクタ部材４４のフランジ４８には、係合脚８８のそれぞれに対応した位置に、係合脚８８が挿通可能な被係合孔９０が形成されている。係合脚８８は、ロック部材８４がスライドして下方に移動すると被係合孔９０に挿入されて係合される（ロック状態になる）ため、この状態でハンドル部材５６を回転させると、コネクタ部材４４も一体で回転する。これに対し、ロック部材８４が上方に移動して被係合孔９０から抜け出る（アンロック状態になる）と、ハンドル部材５６はコネクタ部材４４とは相対的に回転可能となる。
【００３１】
ロック部材８４のさらの外周には、テザー部材９２が装着されている。テザー部材９２は、環状のリール部９４と、このリール部９４により巻取り・巻出しされるテザー本体９６、さらに、テザー本体９６の先端の鉤片９８を有している。リール部９４内には図示しないバネが収容されており、所定の巻取力をテザー本体９６に作用させている。コネクタ部材４４をインレットパイプ本体３４から取り外した状態で、この巻取力に抗してテザー本体９６を必要な長さだけ巻出し、鉤片９８を所定の掛止部（ハンガーなど）に引っ掛けることができるようになっている。
【００３２】
次に、本実施形態の尿素補給部構造３２の作用について説明する。
【００３３】
本実施形態では、尿素タンク１４へ尿素を補給する場合には、尿素補給用のノズル１６や補給缶の蛇腹ホース１８から尿素を補給する場合と、専用ボトルの被接続部２０から尿素を補給する場合の双方に対応可能である。
【００３４】
まず、尿素補給用のノズル１６や補給缶の蛇腹ホース１８から尿素を補給する場合について説明する。この場合、図１に示すように、ロック部材８４を下方に移動させてロック状態とする。ここで、ハンドル部材５６を回転させるとコネクタ部材４４も一体で回転するので、コネクタ部材４４の下側雄ネジ部４６をインレットパイプ本体３４の下側雌ネジ部４２から緩め、図４に示すように、コネクタ部材４４をインレットパイプ本体３４から取り外すことができる。
【００３５】
このように、コネクタ部材４４をインレットパイプ本体３４から取り外すと、図５に示すように、相対的に大きな内径を有する挿入孔３８及び拡径部３６が現れるので、これら挿入孔３８から拡径部３６へノズル１６を挿入したり、図６に示すように、蛇腹ホース１８を挿入したりすることが可能となり、尿素タンク１４へ尿素を補給できる。特に本実施形態では、インレットパイプ本体３４の拡径部３６は、その内周面と、ノズル１６あるいは蛇腹ホース１８との外周面との間に十分な隙間が生じる内径とされているので、尿素補給時に尿素タンク１４内の気体を外部に逃がすことで、スムーズな尿素補給が可能となる。たとえば、ノズル１６から排出される尿素の流速は、蛇腹ホース１８から排出される尿素の流速よりも速いが、このような高速流の尿素が流入しても、尿素タンク１４内の気体との確実な置換が可能になる。なお、このとき、取り外したハンドル部材５６及びコネクタ部材４４は、テザー部材９２の鉤片９８を、前述したハンガー等に引っ掛けておくことができる。
【００３６】
次に、専用ボトルの被接続部２０から尿素を補給する場合について説明する。この場合には、図７に示すように、まず、ロック部材８４を上方に移動させて係合脚８８を被係合孔９０から抜き、アンロック状態とする。このアンロック状態でハンドル部材５６を回転させて緩めると、雌ネジ６２を上側雄ネジ部５２から緩めるときの緩みトルクは、下側雄ネジ部４６を下側雌ネジ部４２から緩めるときの緩みトルクよりも小さく設定されているので、ハンドル部材５６がコネクタ部材４４に対して回転して緩む。これにより、図８に示すように、コネクタ部材４４をインレットパイプ本体３４に接続した状態を維持しつつ、ハンドル部材５６のみをコネクタ部材４４から取り外すことができる。
【００３７】
この状態では、図９に示すように、専用ボトルの被接続部２０に形成された雌ネジ５４を、コネクタ部材４４の上側雄ネジ部５２にねじ込むことで、被接続部２０をコネクタ部材４４に直接的に接続し、専用ボトルから尿素タンク１４への尿素補給が可能となる。なお、このときも、取り外したハンドル部材５６は、テザー部材９２の鉤片９８を、前述したハンガー等に引っ掛けておくことができる。
【００３８】
尿素タンク１４への尿素補給が終わると、図１に示すように、コネクタ部材４４にハンドル部材５６を取り付ける。これにより、インレットパイプ本体３４にコネクタ部材４４が取り付けられ、さらに、コネクタ部材４４にハンドル部材５６が取り付けられる。これにより、コネクタ部材４４の上端、すなわちインレットパイプ本体３４の上端が閉塞された状態（通常状態）となる。したがって、尿素タンク１４内の尿素の不用意な漏れや、尿素タンク１４内の気体の外部排出が抑制される。
【００３９】
尿素タンク１４の内圧は、温度等によって変化するが、内圧調整バルブ体６６を構成する負圧弁７０及び正圧弁６８は所定の開弁圧で開弁されるようになっている。すなわち、尿素タンク１４の内圧変化が所定の範囲内では負圧弁７０及び正圧弁６８は開弁されない。尿素タンク１４内にはアンモニアガスが存在していることがあるが、このアンモニアガスの不用意な大気排出が抑制される。
【００４０】
尿素タンク１４の内圧が外圧よりも所定値以上低くなった（負圧になった）場合には、負圧弁７０が開弁されて外部の気体（空気）が尿素タンク１４内に流入するので、尿素タンク１４の過度の内圧低下を抑制できる。
【００４１】
尿素タンク１４の内圧が外圧よりも所定値以上高くなった（正圧になった）場合には、正圧弁６８が開弁されて内部の気体が尿素タンク１４から排出されるので、尿素タンク１４の過度の内圧上昇を抑制できる。排出される気体には、尿素タンク１４内で尿素の一部が加水分解したアンモニアガスが含まれることがあるが、このアンモニアガスは、フィルタ部材６４の光触媒フィルタ７２によって吸着・分解されるので、アンモニアガスの大気排出が抑制される。
【００４２】
特に本実施形態では、フィルタ部材６４の上板７４及びハンドル部材５６の上端の凸部５６Ｔを透明にしているので、外部の光が光触媒フィルタ７２に確実に達するようにして光触媒フィルタ７２の吸着・分解を促進できる。
【００４３】
なお、光触媒フィルタ７２に照射する光としては、太陽光が最も一般的であり、たとえば、車体の外板パネルの隙間等から入り込んだ太陽光等の外光を利用可能である。ただし、ハンドル部材５６の位置が、車体の外板パネルから車体内側に入り込んだ位置となっている場合には、光触媒フィルタ７２に十分な量の光が到達しない場合もある。この場合には、車体に取り付けられている発光部材（たとえばヘッドランプ）等の光が光触媒フィルタ７２に照射さえるように、ハンドル部材５６の位置を設定してもよい。さらに、光触媒フィルタ７２に光を照射するための、専用の発光部材を設けてもよい。
【００４４】
光触媒フィルタ７２の使用に伴い、アンモニアガスの吸着・分解能力は低下する。このとき、フィルタ部材６４の外側に、わずかにアンモニアガスが排出されると、ｐｈ試験紙７６のｐｈが上がり、所定の呈色反応が起こる。このように、ｐｈ試験紙７６の色の変化を視覚的に知ることで、フィルタ部材６４の交換の時期の目安となる。
【００４５】
フィルタ部材６４は、図１０にも示したように、いわゆるスナップフィットによってハンドル部材５６に対し着脱できるように嵌合されているので、フィルタ部材６４の交換を容易に行うことができる。もちろん、スナップフィットに限定されず、たとえば、前述のようにネジ締結によりフィルタ部材６４をハンドル部材５６に着脱可能に取り付けた構造であっても、フィルタ部材６４の交換を容易に行うことが可能である。
【００４６】
なお、上記では、通常状態、すなわち尿素タンク１４に尿素を補給しない状態において、インレットパイプ本体３４の上端にコネクタ部材４４が接続され、さらにコネクタ部材４４にハンドル部材５６が装着された構造のものを挙げたが、たとえば、通常状態で、インレットパイプ本体３４の上端に（コネクタ部材４４を取り付けることなく）ハンドル部材５６が装着されて挿入孔３８を閉塞し、尿素補給時には、ハンドル部材５６を取り外す構成でもよい。
【００４７】
このように、通常状態でコネクタ部材４４を取り付けない構成では、ハンドル部材５６を取り外すと、相対的に大きな内径を有する挿入孔３８及び拡径部３６が現れるので、これら挿入孔３８から拡径部３６へノズル１６を挿入したり、蛇腹ホース１８を挿入したりすることが可能となる。また、ハンドル部材５６を取り外した後、コネクタ部材４４をインレットパイプ本体３４の上端に装着することで、専用ボトルの被接続部２０に形成された雌ネジ５４を、コネクタ部材４４の上側雄ネジ部５２にねじ込んで被接続部２０をコネクタ部材４４に直接的に接続し、専用ボトルから尿素タンク１４へ尿素補給を行うことができる。一般に、ノズル１６の外径に対し、被接続部２０の内径は十分な大きさがない場合、本実施形態のようなコネクタ部材４４を用いない構成では、ノズル１６と被接続部２０の双方に対応した補給部とすることが困難となるが、本実施形態では、これら双方からの尿素の確実な補給が可能となる。
【００４８】
また、この構成では、コネクタ部材４４が通常はインレットパイプ本体３４の状態に接続されていないので、コネクタ部材４４を、車体の内部、たとえばインレットパイプ本体３４の付近や車載工具スペース等に保管しておくことが好ましい。
【００４９】
さらに、この構成では、通常状態でコネクタ部材４４がインレットパイプ本体３４に取り付けられていないが、その場合であっても、ハンドル部材５６には、インレットパイプ本体３４の挿入孔３８（開口部分）を閉塞できる。また、フィルタ部材６４及びｐｈ試験紙７６はハンドル部材５６に設けられているので、アンモニアガスの吸着・分解をフィルタ部材６４（光触媒フィルタ７２）により行うことが可能になると共に、光触媒フィルタ７２の分解能力が低下したことを、ｐｈ試験紙７６の色変化で視覚的に知ることができるようになる。
【００５０】
上記では、コネクタ部材４４をインレットパイプ本体３４に取り付ける構造として、下側雌ネジ部４２に下側雄ネジ部４６を螺合させるネジ構造のものを挙げたが、取付構造はこれに限定されない。たとえば、コネクタ部材４４に係止凸部を設けると共に、インレットパイプ本体３４には、係止凸部が係止される係止凹部を形成した構造でもよい。
【００５１】
さらに、上記の例では被接続部材として専用ボトルの被接続部２０を想定しており、被接続部２０に形成された雌ネジ５４に対応させた上側雄ネジ部５２をコネクタ部材４４に形成しているが、コネクタ部材４４に被接続部材を接続する構造は、被接続部材の構成に対応して所望の構造を適用すればよい。コネクタ部材４４に、さらにこれとは異なる新たなコネクタ部材を追加して、さらに他の被接続部材を接続可能としてもよい。
【図面の簡単な説明】
【００５２】
【図１】本発明の一実施形態の尿素補給部構造をインレットパイプ本体の長手方向に沿った断面で示す断面図である。
【図２】本発明の一実施形態の尿素補給部構造が適用された尿素タンクシステムの全体構成を示す概略図である。
【図３】本発明の一実施形態の尿素補給部構造を示す図１のＩＩＩ−ＩＩＩ線断面図である。
【図４】本発明の一実施形態の尿素補給部構造をコネクタ部材を取り外した状態で示す断面図である。
【図５】本発明の一実施形態の尿素補給部構造をノズルからの尿素補給状態で示す断面図である。
【図６】本発明の一実施形態の尿素補給部構造を蛇腹ホースからの尿素補給状態で示す断面図である。
【図７】本発明の一実施形態の尿素補給部構造をロック部材のアンロック状態で示す断面図である。
【図８】本発明の一実施形態の尿素補給部構造をハンドル部材を取り外した状態で示す断面図である。
【図９】本発明の一実施形態の尿素補給部構造を専用ボトルの被接続部からの尿素補給状態で示す断面図である。
【図１０】本発明の一実施形態の尿素補給部構造をハンドル部材からフィルタ部材を取り外した状態で示す断面図である。
【符号の説明】
【００５３】
１２  尿素タンクシステム
１４  尿素タンク
１６  ノズル（尿素補給用の管部材）
１８  蛇腹ホース（尿素補給用の管部材）
２０  被接続部（尿素補給用の被接続部材）
２２  尿素移送ポンプ
２４  尿素供給管
２５  尿素噴射弁
２６  ＳＣＲ触媒
２８  エンジン
３０  排気管
３２  尿素補給部構造
３４  インレットパイプ本体
３６  拡径部
３８  挿入孔
４２  下側雌ネジ部
４４  コネクタ部材（接続部材）
４６  下側雄ネジ部
５２  上側雄ネジ部
５４  雌ネジ
５６  ハンドル部材（蓋部材）
６２  雌ネジ
６４  フィルタ部材
６６  内圧調整バルブ体（内圧調整弁）
７２  光触媒フィルタ
７６  ｐｈ試験紙（検知部材）
７８  嵌合爪
８０  被嵌合凹部
８４  ロック部材
８８  係合脚
９０  被係合孔
９２  テザー部材
【図１】
2010127201.tif 000003
【図２】
2010127201.tif 000004
【図３】
2010127201.tif 000005
【図４】
2010127201.tif 000006
【図５】
2010127201.tif 000007
【図６】
2010127201.tif 000008
【図７】
2010127201.tif 000009
【図８】
2010127201.tif 000010
【図９】
2010127201.tif 000011
【図１０】
2010127201.tif 000012